(57)【要約】【課題】補強リブによる補強効果が高く、且つコスト低減が可能な壁面パネルの取り付け構造を提供すること。【解決手段】本発明の壁面パネルの取り付け構造１０は、壁面パネル１５のパネル本体部１３における両側のフック部の間に設けられ、パネル本体部１３の裏面から躯体壁面１１に向かって伸長する補強リブ１６と、この補強リブ１６に設けられた係止溝（係止手段）１７と、この係止溝１７を係止させるべく躯体壁面１１に設けられた係止用部材１８とを備えている。壁面パネル１５の外周部分より内側の部分が固定されるので、補強リブ１６の補強効果が増大する【選択図】　　図２
2004092020.tif 000002
【特許請求の範囲】
【請求項１】
建造物の躯体壁面に設けられた懸架用部材と、前記躯体壁面に配置される壁面パネルとを備え、前記壁面パネルが前記躯体壁面と平行に配置されるパネル本体部及び前記パネル本体部の両側部から前記躯体壁面に向かって延びるフック部とを有し、前記フック部を前記懸架用部材に引っ掛けて懸架することで前記壁面パネルを前記躯体壁面に取り付ける壁面パネルの取り付け構造であって、
前記パネル本体部における前記両側のフック部の間に設けられ、前記パネル本体部の裏面から前記躯体壁面に向かって伸長する補強リブと、
前記補強リブに設けられた係止手段と、
前記係止手段を係止させるべく前記躯体壁面に設けられた係止用部材とを備えたことを特徴とする壁面パネルの取り付け構造。
【請求項２】
前記懸架用部材と前記係止用部材とが同一の形状及び大きさであり、前記フック部と前記係止手段とが同一の形状及び大きさであることを特徴とする請求項１に記載の壁面パネルの取り付け構造。
【発明の詳細な説明】
【０００１】
【発明の属する技術分野】
本発明は壁面パネルの取り付け構造に関し、更に詳細には、例えば壁面パネルを建造物の躯体壁面に整然と並べて設置する際の取り付け構造に関する。
【０００２】
【従来の技術】
近年、ビル等の建築物における外壁又は内壁は、質量、耐候性、施工性などの観点から工場等で予め製作した壁面パネルを取り付けて構成する例が多くなっている。
【０００３】
これは、この種の壁面パネルの製造技術が飛躍的に進歩し、極めて優秀な壁面パネルが提供されているためである。現在提供されている壁面パネルは、耐候性、施工性及び美観などの観点から建築物の外壁材又は内壁材として各方面から高い評価が与えられている。
【０００４】
このような従来の壁面パネルは、通常、次のような構造で建築物の躯体壁面に取り付けられる。すなわち、図７に示すように、従来の壁面パネル２は、周囲縁部を正面とは反対の方向にほぼ直角に折り曲げて浅い皿形状に形成され、その周囲縁部の内側には板状の型材３が固着されている。この型材３は壁面パネル２の各側部から壁面パネル２の表面にほぼ平行に外側方に張り出した取付け片３ａを備えている。
【０００５】
他方、建築物の躯体壁面１には壁面パネル２を取り付けるためのアングル材４がアングルピース５により予め格子状に設置され、この格子の１区画に対して１枚の壁面パネル２が配置される。その際、隣接して配置される２つの壁面パネル２の相対向する型材３における取付け片３ａを１つのアングル材４の表面上に重ねて配置し、これをそれぞれスクリュービス６等でアングル材４に固着している。
【０００６】
そして、隣接する壁面パネル２の間隔部は目地部となり、この目地部には、止水対策及び外観向上の対策としてバックアップ材７及びその上に防水シーリング材８が配置される。時には、防水シーリング材８の上に更に目地用ガスケットを配置することもある。
【０００７】
更に、従来の壁面パネル２は、図８に示すように、風荷重に対する補強のため、パネル裏面に複数の補強リブ９を取り付ける場合があった。この補強リブ９は板状であり、互いに適宜な間隔をあけて複数設けられていた。
【０００８】
【発明が解決しようとする課題】
しかしながら、従来の壁面パネル２は、補強リブ９をパネル裏面に取り付けるだけなのでその補強効果が弱く、結果的に補強リブ９を多数設ける必要があるため、加工工数及び材料費が増大してコストアップになるという問題があった。
【０００９】
本発明の目的は、かかる従来の問題点を解決するためになされたもので、補強リブによる補強効果が高く、且つコスト低減が可能な壁面パネルの取り付け構造を提供することにある。
【００１０】
【課題を解決するための手段】
本発明は壁面パネルの補強構造であり、前述した技術的課題を解決するために以下のように構成されている。すなわち、本発明は、建造物の躯体壁面に設けられた懸架用部材と、前記躯体壁面に配置される壁面パネルとを備え、前記壁面パネルが前記躯体壁面と平行に配置されるパネル本体部及び前記パネル本体部の両側部から前記躯体壁面に向かって延びるフック部とを有し、前記フック部を前記懸架用部材に引っ掛けて懸架することで前記壁面パネルを前記躯体壁面に取り付ける壁面パネルの取り付け構造であって、前記パネル本体部における前記両側のフック部の間に設けられ、前記パネル本体部の裏面から前記躯体壁面に向かって伸長する補強リブと、前記補強リブに設けられた係止手段と、前記係止手段を係止させるべく前記躯体壁面に設けられた係止用部材とを備えたことを特徴とする。
【００１１】
懸架用部材及び係止用部材としては、断面Ｌ字形の型鋼を例示できる。また、フック部及び係止手段は、略Ｌ字状の溝を例示できる。
＜本発明における具体的構成＞
本発明における壁面パネルの取り付け構造は、前述した必須の構成要素からなるが、その構成要素が具体的に以下のような場合であっても成立する。その具体的構成要素とは、前記懸架用部材と前記係止用部材とは同一の形状及び大きさであり、前記フック部と前記係止手段とは同一の形状及び大きさであることを特徴とする。
【００１２】
本発明の壁面パネルの取り付け構造によれば、壁面パネルの両側のフック部間に設けられた補強リブが、その係止手段と躯体壁面に設けられた係止用部材とを介して躯体壁面に固定される。
【００１３】
これにより、壁面パネルの外周部分より内側の部分が躯体壁面に固定されるので、従来のように単に壁面パネルに補強リブを設けた場合に比べて補強効果が増大する。
【００１４】
また、懸架用部材と係止用部材とが同一の形状及び大きさであり、フック部と係止手段とが同一の形状及び大きさであるので、部品管理が容易になる。
【００１５】
【発明の実施の形態】
以下、本発明における壁面パネルの取り付け構造の実施形態について、図面を参照して詳細に説明する。
【００１６】
図１は、本発明に係る壁面パネルの取り付け構造１０を示す側断面図である。この壁面パネルの取り付け構造１０は、建造物の躯体壁面１１に設けられた懸架用部材１２と、躯体壁面１１に配置される壁面パネル１５とを備えている。
【００１７】
壁面パネル１５は、躯体壁面１１と平行に配置されるパネル本体部１３及びパネル本体部１３の両側部から躯体壁面１１に向かって延びるフック部１４とを有している。このフック部１４は、パネル本体部１３の両側部から躯体壁面１１に向かって延びるフランジ部２５に形成されている。
【００１８】
そして、フック部１４を懸架用部材１２に引っ掛けて懸架することで壁面パネル１５を躯体壁面１１に取り付けるようになっている。
【００１９】
また、この壁面パネルの取り付け構造１０は、図２に示すように、上記壁面パネル１５における両側のフック部１４，１４（図１）の間に設けられ、パネル本体部１３の裏面から躯体壁面１１に向かって延びる補強リブ１６と、この補強リブ１６に設けられた係止手段としての係止溝１７と、この係止溝１７を係止させるべく躯体壁面１１に設けられた係止用部材１８とを備えている。
【００２０】
次に、上記各構成要素について説明する。図１の懸架用部材１２は、断面Ｌ字形の型材から構成され、図３に示すように、建造物の躯体壁面１１に沿って略水平に且つ互いに所定の間隔をあけて複数配置されている。本実施形態では、１枚の壁面パネル１５の上下端部側が、懸架用部材１２，１２に懸架されている。
【００２１】
また、この懸架用部材１２は、図４にも示すように、建造物の躯体壁面１１にアンカー２０により固定されたＬ字形のアングルピース２１に、ボルトナットなどの締結手段２２により連結されている。
【００２２】
壁面パネル１５は、図３に示すように、長方形であり、その全周にフランジ部２５が形成されている。この壁面パネル１５を形成する素材は、特に限定されるものではなく、例えば金属パネルや樹脂積層パネルなど、公知の種々のパネルを用いることができる。
【００２３】
図１に示すように、フランジ部２５に設けられたフック部１４は、凹部１４ａと、この凹部１４ａにおける上側の隅部に形成された細長い溝１４ｂとによって、略逆Ｌ字状に形成されている。
【００２４】
また、上記補強リブ１６は、図３に示すように、両側のフランジ部２５，２５の間に配置され、上下のフランジ部２５，２５を連結するように延びている。また、この補強リブ１６は、図２に示すように、パネル本体部１３の裏面から躯体壁面１１に向かって延びている。
【００２５】
また、補強リブ１６は、図５に示すように、断面略Ｔ字状であり、その横辺部分１６ａの両端部がスペーサ２７を介して、ビスなどでパネル本体部１３に固定されている。
【００２６】
本実施形態では、フランジ部２５，２５の間に２個の補強リブ１６が設けられているが、１個又は３個以上の補強リブ１６を設けることができる。
【００２７】
上記係止用部材１８は、図３に示すように、上下の懸架用部材１２，１２の間に配置されている。本実施形態では、懸架用部材１２，１２の間に１個の係止用部材１８が設けられているが、２個以上設けることも出来る。
【００２８】
上記補強リブ１６，係止溝１７，係止用部材１８は、それぞれ図１のフランジ部２５，フック部１４，懸架用部材１２と同一の形状及び大きさであり、補強リブ１６の係止溝１７を係止用部材１８に係止するようになっている。これによって、壁面パネル１５に風荷重が作用した場合でも、その内側部分が浮き上がるのを防止できる。
【００２９】
なお、フランジ部２５と補強リブ１６には、それぞれ係止用部材１８又は懸架用部材１２と衝突するのを避けるため、凹部（図示せず）が設けられている。この凹部は単なる四角形としてもよいが、上記フック部１４及び係止溝１７と同一形状として、懸架用部材１２又は係止用部材１８に係止させることもできる。
【００３０】
壁面パネル１５を躯体壁面１１に取り付ける場合には、壁面パネル１５を躯体壁面１１に対してほぼ平行になるように持ち上げ、フック部１４と係止溝１７の凹部１４ａを、それぞれ懸架用部材１２と係止用部材１８に嵌め込む。
【００３１】
そして、壁面パネル１５が懸架用部材１２及び係止用部材１８に突き当たったところで、そのまま壁面パネル１５を降下させる。これにより、フック部１４及び係止溝１７の溝１４ｂが懸架用部材１２と係止用部材１８に嵌め込まれて、壁面パネル１５が固定される。なお、隣接する壁面パネル１５のフランジ部２５，２５間には、図６に示すように、ボルトなどを介してパッキン２８が介装されている。
【００３２】
このように、本発明によれば、壁面パネル１５の両側のフック部１４，１４間に設けられた補強リブ１６，１６が、その係止溝１７と躯体壁面１１に設けられた係止用部材１８とを介して壁面パネル１１に固定され、壁面パネル１５の外周部分より内側の部分が固定されるので、従来のように単に壁面パネル１５に補強リブを設けた場合に比べて補強効果が増大する。
【００３３】
従って、補強リブ１６の数を減らすことができるので、材料費及び加工工数を低減でき、コスト低減が可能になる。
【００３４】
また、壁面パネル１５のフランジ部２５，フック部１４と、補強リブ１６，係止溝１７とが同一形状及び大きさであり、フック部１４を懸架する懸架用部材１２と係止溝１７を係止する係止用部材１８とが同一形状及び大きさなので、部品管理が容易になる。
【００３５】
なお、壁面パネル１５のフランジ部２５及びフック部１４と、補強リブ１６及び係止溝１７との形状及び大きさ、並びに懸架用部材１２と係止用部材１８との形状及び大きさは、互いに変えることができる。
【００３６】
【発明の効果】
以上説明したように、本発明における壁面パネルの取り付け構造によれば、壁面パネルの両側のフック部間に設けられた補強リブが、その係止溝と躯体壁面に設けられた係止用部材とを介して躯体壁面に固定されるので、壁面パネルの外周部分より内側の部分が躯体壁面に固定されるため、従来のように単に壁面パネルに補強リブを設けた場合に比べて補強効果が増大する。
【００３７】
従って、従来に比べて補強リブの数を低減でき、これによって、材料費及び組立工数を低減できるので、コストダウンが可能になる。
【図面の簡単な説明】
【図１】本発明に係る壁面パネルの取り付け構造を示す断面図である。
【図２】本発明に係る壁面パネルの取り付け構造における補強リブ及び係止用部材を示す縦断面図である。
【図３】図１のＡ−Ａ断面図である。
【図４】本発明に係る壁面パネルの取り付け構造における懸架用部材の固定方法を示す図である。
【図５】図２のＢ−Ｂ断面図である。
【図６】本発明に係る壁面パネルの取り付け構造における壁面パネル間のパッキンを示す断面図である。
【図７】従来例に係る壁面パネルの取り付け構造を示す断面図である。
【図８】従来例に係る壁面パネルの補強リブを示す平面図である。
【符号の説明】
１０　壁面パネルの取付構造
１１　建造物の躯体壁面
１２　懸架用部材
１３　パネル本体部
１４　フック部
１６　補強リブ
１７　係止溝（係止手段）
１８　係止用部材
【図１】
2004092020.tif 000003
【図２】
2004092020.tif 000004
【図３】
2004092020.tif 000005
【図４】
2004092020.tif 000006
【図５】
2004092020.tif 000007
【図６】
2004092020.tif 000008
【図７】
2004092020.tif 000009
【図８】
2004092020.tif 000010